(57)【特許請求の範囲】
【請求項１】
複数の通信規格に対応した複数のアンテナ部（３０−１ａ〜３０−Ｍａ、３０−１ｂ〜３０−Ｍｂ）を有する端末機器（３０、３０−１〜３０−Ｍ）に対して測定を行う少なくとも１つの無線端末測定モジュール（１０−１〜１０−Ｎ）と、
前記少なくとも１つの無線端末測定モジュールと情報の授受を行うためのインタフェース部（１６ａ）を有し、前記少なくとも１つの無線端末測定モジュールを収容可能な筺体（１６）と、を備え、
前記無線端末測定モジュールは、その測定機能を前記複数の通信規格のうちのいずれかに対応したものに切り替える制御部（１５）と、前記筺体の前記インタフェース部と接続可能な筺体接続部（１７）と、を有し、該筺体接続部を介して前記筺体と着脱可能であり、
ライン方式の検査に用いられる場合、検査対象とする前記複数の通信規格のうちの１つの通信規格の検査に要する時間に応じた個数の前記無線端末測定モジュールを前記筐体に収容することが可能であるとともに、当該収容された無線端末測定モジュールの前記測定機能を、前記制御部により当該１つの通信規格に対応したものに切り替えることを可能とし、
セル方式の検査に用いられる場合、検査対象とする前記複数の通信規格の種類に応じた個数の前記無線端末測定モジュールを前記筐体に収容することが可能であるとともに、当該収容された無線端末測定モジュールの前記測定機能を、前記制御部により当該複数の通信規格に対応したものに切り替えることを可能とすることを特徴とする無線端末測定装置。
【請求項２】
前記筐体に収容された全ての前記無線端末測定モジュールの前記測定機能が、同一の前記通信規格に対応していることを特徴とする請求項１に記載の無線端末測定装置。
【請求項３】
前記筐体に２つ以上の前記無線端末測定モジュールが収容されており、
前記２つ以上の前記無線端末測定モジュールのうちの少なくとも１つの前記測定機能が、他の無線端末測定モジュールと異なる前記通信規格に対応していることを特徴とする請求項１に記載の無線端末測定装置。
【請求項４】
前記無線端末測定モジュールは、
前記複数のアンテナ部を接続可能な複数の端子（１１−１ａ〜１１−Ｍａ、１１−１ｂ〜１１−Ｍｂ）を有する端末機器接続部（１１）と、
前記複数の通信規格に対応した試験信号を生成し、該試験信号を前記端末機器接続部に接続された前記端末機器に出力する信号生成部（１２）と、
前記試験信号が入力された前記端末機器からの応答信号、または、前記端末機器からの送信信号を解析する信号解析部（１３）と、をさらに備え、
前記制御部は、前記複数の通信規格のうちのいずれかに対応した前記試験信号を前記信号生成部に生成させるとともに、前記信号解析部に前記複数の通信規格のうちのいずれかに対応した解析処理を行わせることを特徴とする請求項１から請求項３のいずれか一項に記載の無線端末測定装置。
【請求項５】
前記制御部は、前記無線端末測定モジュール内部の配線の損失の補正値を記憶し、
前記信号解析部は、前記補正値を用いて解析結果を補正することを特徴とする請求項４に記載の無線端末測定装置。
【請求項６】
請求項１から請求項５のいずれか一項に記載の無線端末測定装置（１）を少なくとも１つ備えることを特徴とする無線端末測定システム。
【請求項７】
複数の通信規格に対応した複数のアンテナ部（３０−１ａ〜３０−Ｍａ、３０−１ｂ〜３０−Ｍｂ）を有する端末機器（３０、３０−１〜３０−Ｍ）に対して測定を行う少なくとも１つの無線端末測定モジュール（１０−１〜１０−Ｎ）と、
前記少なくとも１つの無線端末測定モジュールと情報の授受を行うためのインタフェース部（１６ａ）を有し、前記少なくとも１つの無線端末測定モジュールを収容可能な筺体（１６）と、を備え、
前記無線端末測定モジュールは、その測定機能を前記複数の通信規格のうちのいずれかに対応したものに切り替える制御部（１５）と、前記筺体の前記インタフェース部と接続可能な筺体接続部（１７）と、を有し、該筺体接続部を介して前記筺体と着脱可能であることを特徴とする無線端末測定装置（１）を少なくとも１つ用いる無線端末測定方法であって、
前記各筺体の前記インタフェース部に、少なくとも１つの前記無線端末測定モジュールの前記筺体接続部を接続するモジュール接続段階と、
前記各無線端末測定モジュールの前記測定機能を、前記複数の通信規格のうちのいずれかに対応したものに切り替える測定機能制御段階と、を含み、
ライン方式の検査に用いられる場合、検査対象とする前記複数の通信規格のうちの１つの通信規格の検査に要する時間に応じた個数の前記無線端末測定モジュールを前記筐体に収容することが可能であるとともに、当該収容された無線端末測定モジュールの前記測定機能を、前記制御部により当該１つの通信規格に対応したものに切り替えることを可能とし、
セル方式の検査に用いられる場合、検査対象とする前記複数の通信規格の種類に応じた個数の前記無線端末測定モジュールを前記筐体に収容することが可能であるとともに、当該収容された無線端末測定モジュールの前記測定機能を、前記制御部により当該複数の通信規格に対応したものに切り替えることを可能とすることを特徴とする無線端末測定方法。
【発明の詳細な説明】
【技術分野】
【０００１】
本発明は、複数の通信規格に対応した複数の無線通信アンテナを有する端末機器に対して測定を行う無線端末測定装置、無線端末測定システム、及び無線端末測定方法に関する。
【背景技術】
【０００２】
近年、マルチメディアの進展に伴い、セルラ、無線ＬＡＮ等の複数の無線通信用のアンテナが実装された無線端末機器（携帯電話等）が盛んに生産されるようになっている（例えば、特許文献１参照）。
【０００３】
このような端末機器の製造工場においては、端末機器の各無線通信アンテナに対して、それぞれの通信規格ごとに定められた送信電波の出力レベルや受信感度を測定し、所定の基準を満たすか否かを判定する検査が行われる。
【０００４】
端末機器の製造方式は、大きくライン方式とセル方式の２つに分けられる。ライン方式は、同一モデルの端末機器の大量生産に適した製造方式である。ライン方式における検査では、端末機器はベルトコンベアで搬送され、各通信規格に対応した測定を行う専用の測定装置がベルトコンベアの流れに沿って複数配置される。
【０００５】
各測定装置は、測定ケーブルやシールドボックスを介して、端末機器の複数の無線通信アンテナに接続される。通常ライン方式では、１日に何千台もの端末機器の生産が行われるため、１台にかけられる検査時間は非常に限られており、短時間での効率的な測定が必要となっている。端末機器１台当たりの検査の所要時間は一般に通信規格ごとに異なっているが、ベルトコンベアの速度を一定に保って、効率良く測定を行うことが可能な測定システムが望まれている。
【０００６】
一方、セル方式は、ライン方式よりも少量かつ多種の端末機器の生産に適した製造方式であり、一般に小規模の製造工場で実施される方式である。セル方式における検査では、通信規格に依らない汎用的な信号発生機能や信号解析機能を有する測定装置により、測定対象の端末機器が対応する全ての通信規格についての測定が、端末機器１台ごとに行われる。
【先行技術文献】
【特許文献】
【０００７】
【特許文献１】特開２０１１−２４４４６１号公報
【発明の概要】
【発明が解決しようとする課題】
【０００８】
しかしながら、刻々と移り変わる市場のニーズにきめ細やかに対応していくためには、常にライン方式かセル方式のみでしか生産を行えないシステムは、効率の面で好ましくない。そこで、ライン方式からセル方式へ、あるいは、セル方式からライン方式へと柔軟に製造プランを変更できる生産システムが望まれており、製造した端末機器に対する測定システムもその変更に対応できるものが要求されている。しかしながら、従来の測定システムはそのような要求を満たすものではなかった。
【０００９】
本発明は、このような従来の課題を解決するためになされたものであって、ライン方式とセル方式の両方に対応することができる無線端末測定装置、無線端末測定システム、及び無線端末測定方法を提供することを目的とする。
【課題を解決するための手段】
【００１０】
上記課題を解決するために、本発明の請求項１の無線端末測定装置は、複数の通信規格に対応した複数のアンテナ部を有する端末機器に対して測定を行う少なくとも１つの無線端末測定モジュールと、前記少なくとも１つの無線端末測定モジュールと情報の授受を行うためのインタフェース部を有し、前記少なくとも１つの無線端末測定モジュールを収容可能な筺体と、を備え、前記無線端末測定モジュールは、その測定機能を前記複数の通信規格のうちのいずれかに対応したものに切り替える制御部と、前記筺体の前記インタフェース部と接続可能な筺体接続部と、を有し、該筺体接続部を介して前記筺体と着脱可能であり、ライン方式の検査に用いられる場合、検査対象とする前記複数の通信規格のうちの１つの通信規格の検査に要する時間に応じた個数の前記無線端末測定モジュールを前記筐体に収容することが可能であるとともに、当該収容された無線端末測定モジュールの前記測定機能を、前記制御部により当該１つの通信規格に対応したものに切り替えることを可能とし、セル方式の検査に用いられる場合、検査対象とする前記複数の通信規格の種類に応じた個数の前記無線端末測定モジュールを前記筐体に収容することが可能であるとともに、当該収容された無線端末測定モジュールの前記測定機能を、前記制御部により当該複数の通信規格に対応したものに切り替えることを可能とすることを特徴とする構成を有している。
【００１１】
この構成により、ソフトウエア的に測定機能を変更することが可能な無線端末測定モジュールを、測定内容に応じて任意の数だけ筺体内に配置することができるため、ライン方式とセル方式の両方に対応することができる。
【００１２】
また、本発明の請求項２の無線端末測定装置は、前記筐体に収容された全ての前記無線端末測定モジュールの前記測定機能が、同一の前記通信規格に対応していることを特徴とする構成を有していてもよい。
【００１３】
また、本発明の請求項３の無線端末測定装置は、前記筐体に２つ以上の前記無線端末測定モジュールが収容されており、前記２つ以上の前記無線端末測定モジュールのうちの少なくとも１つの前記測定機能が、他の無線端末測定モジュールと異なる前記通信規格に対応していることを特徴とする構成を有していてもよい。
【００１４】
また、本発明の請求項４の無線端末測定装置は、前記無線端末測定モジュールが、前記複数のアンテナ部を接続可能な複数の端子を有する端末機器接続部と、前記複数の通信規格に対応した試験信号を生成し、該試験信号を前記端末機器接続部に接続された前記端末機器に出力する信号生成部と、前記試験信号が入力された前記端末機器からの応答信号、または、前記端末機器からの送信信号を解析する信号解析部と、をさらに備え、前記制御部は、前記複数の通信規格のうちのいずれかに対応した前記試験信号を前記信号生成部に生成させるとともに、前記信号解析部に前記複数の通信規格のうちのいずれかに対応した解析処理を行わせることを特徴とする構成を有していてもよい。
【００１５】
また、本発明の請求項５の無線端末測定装置においては、前記制御部は、前記無線端末測定モジュール内部の配線の損失の補正値を記憶し、前記信号解析部は、前記補正値を用いて解析結果を補正することを特徴とする。
また、本発明の請求項６の無線端末測定システムは、上記の無線端末測定装置を少なくとも１つ備えることを特徴とする構成を有していてもよい。
【００１６】
また、本発明の請求項７の無線端末測定方法は、複数の通信規格に対応した複数のアンテナ部を有する端末機器に対して測定を行う少なくとも１つの無線端末測定モジュールと、前記少なくとも１つの無線端末測定モジュールと情報の授受を行うためのインタフェース部を有し、前記少なくとも１つの無線端末測定モジュールを収容可能な筺体と、を備え、前記無線端末測定モジュールは、その測定機能を前記複数の通信規格のうちのいずれかに対応したものに切り替える制御部と、前記筺体の前記インタフェース部と接続可能な筺体接続部と、を有し、該筺体接続部を介して前記筺体と着脱可能であることを特徴とする無線端末測定装置を少なくとも１つ用いる無線端末測定方法であって、前記各筺体の前記インタフェース部に、少なくとも１つの前記無線端末測定モジュールの前記筺体接続部を接続するモジュール接続段階と、前記各無線端末測定モジュールの前記測定機能を、前記複数の通信規格のうちのいずれかに対応したものに切り替える測定機能制御段階と、を含み、ライン方式の検査に用いられる場合、検査対象とする前記複数の通信規格のうちの１つの通信規格の検査に要する時間に応じた個数の前記無線端末測定モジュールを前記筐体に収容することが可能であるとともに、当該収容された無線端末測定モジュールの前記測定機能を、前記制御部により当該１つの通信規格に対応したものに切り替えることを可能とし、セル方式の検査に用いられる場合、検査対象とする前記複数の通信規格の種類に応じた個数の前記無線端末測定モジュールを前記筐体に収容することが可能であるとともに、当該収容された無線端末測定モジュールの前記測定機能を、前記制御部により当該複数の通信規格に対応したものに切り替えることを可能とすることを特徴とする構成を有している。
【発明の効果】
【００１７】
本発明は、ライン方式とセル方式の両方に対応することができる無線端末測定装置及び無線端末測定方法を提供するものである。
【図面の簡単な説明】
【００１８】
【図１】本発明に係る無線端末測定装置の構成の一例を示すブロック図
【図２】本発明に係る無線端末測定装置の正面図
【図３】無線端末測定モジュール及び端末機器の詳細な構成を示すブロック図
【図４】本発明に係る無線端末測定システムを用いてライン方式の検査を行う場合の構成例を示す説明図
【図５】本発明に係る無線端末測定システムを用いてセル方式の検査を行う場合の構成例を示す説明図
【発明を実施するための形態】
【００１９】
以下、本発明に係る無線端末測定装置、無線端末測定システム、及び無線端末測定方法、の実施形態について図面を用いて説明する。本実施形態の無線端末測定装置、無線端末測定システム、及び無線端末測定方法は、複数の通信規格に対応した複数のアンテナ部を有する端末機器に対して、送信電波の出力レベルや受信感度などに関する測定を行うものである。
【００２０】
図１は、本実施形態の無線端末測定装置１の構成の一例を示すブロック図である。
無線端末測定装置１は、複数の通信規格に対応した複数のアンテナ部を有する複数の端末機器３０に対して測定を行う少なくとも１つの無線端末測定モジュール１０−１〜１０−Ｎと、無線端末測定モジュール１０−１〜１０−Ｎと情報の授受を行うためのインタフェース部１６ａを有し、無線端末測定モジュール１０−１〜１０−Ｎを収容可能なシャーシ（筺体）１６と、を備える。
【００２１】
各無線端末測定モジュール１０−１〜１０−Ｎは、その測定機能を複数の通信規格のうちのいずれかに対応したものに切り替える制御部１５と、各端末機器３０の複数のアンテナ部を接続可能な端末機器接続部１１と、シャーシ１６のインタフェース部１６ａと接続可能なシャーシ接続部（筺体接続部）１７と、を有し、シャーシ接続部１７を介してシャーシ１６と着脱可能である。
【００２２】
インタフェース部１６ａには、操作者が各種指示を操作入力する操作部１８や、信号解析部１３の解析結果を表示する表示部１９が接続されていてもよい。操作部１８から出力される各種指示は、インタフェース部１６ａ及びシャーシ接続部１７を介して制御部１５に入力される。また、インタフェース部１６ａは、シャーシ接続部１７を介して無線端末測定モジュール１０−１〜１０−Ｎに電力を供給するようになっている。
【００２３】
図２は、本実施形態の無線端末測定装置１の正面図である。また、図３は、無線端末測定モジュール１０−ｎ（ｎ＝１，・・・，Ｎ）、及び、端末機器３０の詳細な構成を示すブロック図である。なお、説明を簡略化するために、図２及び３に示した例では、各端末機器３０が２つのアンテナ部を有するとしているが、アンテナ部の個数はこれに限定されるものではない。
【００２４】
無線端末測定モジュール１０−ｎは、複数の通信規格に対応した試験信号を生成し、該試験信号を端末機器接続部１１に接続された端末機器３０−１〜３０−Ｍに出力する信号生成部１２と、試験信号が入力された端末機器３０−１〜３０−Ｍからの応答信号、または、端末機器３０−１〜３０−Ｍからの送信信号（以下、端末送信信号と記す）を解析する信号解析部１３と、端末機器接続部１１を介して、複数の端末機器３０−１〜３０−Ｍのアンテナ部３０−１ａ〜３０−Ｍａ、３０−１ｂ〜３０−Ｍｂを信号生成部１２及び信号解析部１３に選択的に接続するか、あるいは、信号生成部１２及び信号解析部１３のいずれか一方に選択的に接続する切替部１４と、をさらに備える。
【００２５】
また、無線端末測定モジュール１０−ｎは、信号生成部１２からの試験信号に対する端末機器３０−１〜３０−Ｍの受信機能を測定する受信信号解析部（不図示）を備えていてもよい。さらに、無線端末測定モジュール１０−ｎは、測定値が所定の基準を満たしているか否かを判定する判定部（不図示）を備えていてもよい。この判定は、例えば、予め定められた閾値と測定値との大小関係を評価すること、あるいは、アンテナ部３０−ｍａとアンテナ部３０−ｍｂ（ｍ＝１，・・・，Ｍ）の出力レベルや受信感度の差を評価することにより行われる。
【００２６】
測定対象の端末機器３０−１〜３０−Ｍの各アンテナ部３０−１ａ〜３０−Ｍａ、３０−１ｂ〜３０−Ｍｂは、無線通信アンテナとＲＦ回路を有している。ここで、端末機器３０−１〜３０−Ｍの複数の通信規格としては、セルラ（ＬＴＥ、Ｗ−ＣＤＭＡ、ＧＳＭ（登録商標）、ＣＤＭＡ２０００、１ｘＥＶ−ＤＯ、ＴＤ−ＳＣＤＭＡ等）、ＷＬＡＮ（ＩＥＥＥ８０２．１１ａ／ｂ／ｇ／ｎ等）、Ｂｌｕｅｔｏｏｔｈ（登録商標）、ＧＮＳＳ（ＧＰＳ、Ｇａｌｉｌｅｏ、ＧＬＯＮＡＳＳ、Ｃｏｍｐａｓｓ等）、ＦＭラジオ放送、及びテレビ放送（ＤＶＢ−Ｈ、ＤＭＢ、ワンセグ等）が挙げられる。
【００２７】
制御部１５は、信号生成部１２、信号解析部１３、及び切替部１４を複数の通信規格のうちのいずれかに対応した処理を行うように制御する。即ち、制御部１５は、複数の通信規格のうちのいずれかに対応した試験信号を信号生成部１２に生成させるとともに、信号解析部１３に複数の通信規格のうちのいずれかに対応した解析処理を行わせるようになっている。なお、制御部１５は、パーソナルコンピュータなどの外部装置がインタフェース部１６ａ及びシャーシ接続部１７を介して接続可能であってもよい。
【００２８】
制御部１５は、端末機器３０−１〜３０−Ｍの通信規格に対応した、信号生成部１２、信号解析部１３、及び切替部１４に対する制御を行うためのプログラムを予めメモリ１５ａに記憶している。なお、制御部１５は、新たなプログラム、あるいはバージョンを変更したプログラムを外部から受けて、メモリ１５ａへの追加または更新を行うこともできる。さらに、メモリ１５ａには、無線端末測定モジュール１０−ｎ内部の配線の損失の補正値が予め記憶されているものとする。
【００２９】
信号生成部１２は、ベースバンド信号生成部１２ａ、及び、ＲＦ変調部１２ｂを有する。ベースバンド信号生成部１２ａは、所定のクロックを基に、Ｉ成分ベースバンド信号と、該Ｉ成分ベースバンド信号と位相がπ／２ずれた直交成分信号であるＱ成分ベースバンド信号を生成する。これらのベースバンド信号には、端末機器３０−１〜３０−Ｍに対して無線端末測定モジュール１０−ｎが擬似基地局として働くために必要な制御情報が含まれている。制御情報は、例えば、端末機器３０−１〜３０−Ｍと擬似基地局でやり取りする位置登録、着呼、切断、その他の試験に必要な指示を含む。
【００３０】
ＲＦ変調部１２ｂは、ベースバンド信号生成部１２ａから受けたベースバンド信号を、各通信規格の周波数に対応したローカル信号と混合することで、各通信規格の周波数に対応した試験信号を生成し、生成した試験信号を端末機器３０−１〜３０−Ｍに向けて出力する。
【００３１】
信号解析部１３は、ＲＦ変調部１２ｂからのローカル信号を受けて、端末機器３０−１〜３０−Ｍからの応答信号または端末送信信号を直交復調してＩ成分ベースバンド信号及びＱ成分ベースバンド信号に変換した後、それらのベースバンド信号を復号して、測定のための解析を行うようになっている。例えば、信号解析部１３は、変調精度測定、隣接チャネル漏洩電力測定、及び電力測定などが行えるものであるとよい。
【００３２】
即ち、信号解析部１３は、上記試験信号に対する端末機器３０−１〜３０−Ｍからの応答信号、または、端末機器３０−１〜３０−Ｍからの端末送信信号を受信し、この応答信号または端末送信信号を用いて端末機器３０−１〜３０−Ｍの通信機能に関する上述の測定を行う。なお、信号解析部１３は、予めメモリ１５ａに記憶された無線端末測定モジュール１０−ｎ内部の配線の損失の補正値を用いて解析結果を補正するようになっている。
【００３３】
端末機器接続部１１は、端末機器３０−１〜３０−Ｍの複数のアンテナ部３０−１ａ〜３０−Ｍａ、３０−１ｂ〜３０−Ｍｂと、無線端末測定モジュール１０−ｎと、を電気的に接続するための複数の端子１１−１ａ〜１１−Ｍａ、１１−１ｂ〜１１−Ｍｂを有する。
【００３４】
より具体的には、端子１１−１ａ〜１１−Ｍａ、１１−１ｂ〜１１−Ｍｂは、全二重通信（または半二重通信）を行うアンテナ部と接続可能な全二重通信用端子と、半二重通信を行うアンテナ部と接続可能な半二重通信用端子を含む。
【００３５】
次に、本発明に係る無線端末測定装置１を用いた無線端末測定方法について説明する。本発明に係る無線端末測定方法は、上述の無線端末測定装置１を少なくとも１つ備えた無線端末測定システム１００を用いるものである。
【００３６】
図４は、無線端末測定システム１００を用いてライン方式の検査を行う場合の構成例を示す説明図である。ここでは、製造ラインに設置された２つの無線端末測定装置１、１'が、ベルトコンベア４０で搬送される複数の端末機器３０に対して、異なる通信規格（例えば、セルラとＷＬＡＮ）に関する検査を行う場合を例に挙げて説明する。なお、操作者は、操作部１８を用いて、複数の通信規格の中から検査対象とする通信規格を選択できるようになっている。
【００３７】
図４に示した２つの無線端末測定装置１、１'は、それぞれのシャーシ１６のインタフェース部１６ａに、少なくとも１つの無線端末測定モジュール１０−１〜１０−Ｎのシャーシ接続部１７が接続された状態で製造ラインに設置される（モジュール接続段階）。
【００３８】
ここでは仮に、１つの端末機器３０に対して、セルラの検査に３０秒、ＷＬＡＮの検査に１５秒を要するものとする。ベルトコンベア４０の速度を一定とし、セルラとＷＬＡＮの検査を連続的に行うために、セルラ用の無線端末測定装置１が備える無線端末測定モジュールの個数（図４の例ではＮ＝４）を、ＷＬＡＮ用の無線端末測定装置１'が備える無線端末測定モジュールの個数（図４の例ではＮ＝２）の２倍とする。
【００３９】
そして、セルラ用の無線端末測定装置１が備える各無線端末測定モジュール１０−１〜１０−４の制御部１５は、操作部１８から検査の対象とする通信規格（セルラ）を指示する指示信号が送信されたことを確認し、各無線端末測定モジュール１０−１〜１０−４の測定機能をセルラに対応したものに設定する（測定機能制御段階）。即ち、無線端末測定装置１のシャーシ１６に収容された全ての無線端末測定モジュールの測定機能が、同一の通信規格（セルラ）に対応したものとなる。
【００４０】
また、ＷＬＡＮ用の無線端末測定装置１'が備える各無線端末測定モジュール１０'−１〜１０'−２の制御部１５は、操作部１８から検査の対象とする通信規格（ＷＬＡＮ）を指示する指示信号が送信されたことを確認し、各無線端末測定モジュール１０'−１〜１０'−２の測定機能をＷＬＡＮに対応したものに設定する（測定機能制御段階）。即ち、無線端末測定装置１'のシャーシ１６に収容された全ての無線端末測定モジュールの測定機能が、同一の通信規格（ＷＬＡＮ）に対応したものとなる。
【００４１】
そして、操作者により、ベルトコンベア４０で搬送された端末機器３０がベルトコンベア４０から降ろされて、セルラ用の無線端末測定装置１の各無線端末測定モジュール１０−１〜１０−４の各端子に接続される。
【００４２】
無線端末測定モジュール１０−１〜１０−４の制御部１５は、信号生成部１２及び切替部１４に指示信号を送出して、無線端末測定モジュール１０−１〜１０−４の各端子に接続された端末機器３０のアンテナ部に向けて、セルラに対応した試験信号を出力する。
【００４３】
次に、制御部１５は、信号解析部１３及び切替部１４に指示信号を送出して、上記試験信号に対する各端末機器３０のアンテナ部からの応答信号または端末送信信号を解析し、その解析結果をメモリ１５ａに記憶する。このとき制御部１５は、予めメモリ１５ａに記憶されている内部配線の損失の補正値を信号解析部１３に通知しているものとする。なお、制御部１５は、メモリ１５ａに記憶させた解析結果を、操作部１８からの指示に従って表示部１９等の外部装置に出力することも可能である。
【００４４】
測定が終了した端末機器３０は、操作者により、無線端末測定モジュール１０−１〜１０−４の各端子から順次取り外されてベルトコンベア４０に戻されて、ＷＬＡＮ用の無線端末測定装置１'に向けて搬送される。端末機器３０が取り外された端子には、操作者により新たな端末機器が順次取り付けられるとよい。
【００４５】
そして、無線端末測定装置１側からベルトコンベア４０で搬送された端末機器３０が、操作者によりベルトコンベア４０から降ろされて、ＷＬＡＮ用の無線端末測定装置１'の各無線端末測定モジュール１０'−１〜１０'−２の各端子に接続される。
【００４６】
無線端末測定モジュール１０'−１〜１０'−２の制御部１５は、信号生成部１２及び切替部１４に指示信号を送出して、無線端末測定モジュール１０'−１〜１０'−２の各端子に接続された端末機器３０のアンテナ部に向けて、ＷＬＡＮに対応した試験信号を出力する。
【００４７】
次に、制御部１５は、信号解析部１３及び切替部１４に指示信号を送出して、上記試験信号に対する端末機器３０のアンテナ部からの応答信号または端末送信信号を解析し、その解析結果をメモリ１５ａに記憶する。このとき制御部１５は、予めメモリ１５ａに記憶されている内部配線の損失の補正値を信号解析部１３に通知しているものとする。
【００４８】
測定が終了した端末機器３０は、操作者により、無線端末測定モジュール１０'−１〜１０'−２の各端子から順次取り外されてベルトコンベア４０に戻されて、次工程の図示しない検査装置等に向けて搬送される。端末機器３０が取り外された端子には、操作者により新たな端末機器が順次取り付けられるとよい。
【００４９】
図５は、無線端末測定システム１００を用いてセル方式の検査を行う場合の構成例を示す説明図である。ここでは、１つの無線端末測定装置１が、複数の端末機器３０に対して、異なる通信規格（例えば、セルラ、ＷＬＡＮ、ＧＮＳＳ、及びＦＭラジオ放送）に関する検査を行う場合を例に挙げて説明する。なお、操作者は、操作部１８を用いて、複数の通信規格の中から検査対象とする通信規格を選択できるようになっている。
【００５０】
図５に示した無線端末測定装置１は、シャーシ１６のインタフェース部１６ａに、少なくとも２つの無線端末測定モジュール１０−１〜１０−Ｎ（図５の例ではＮ＝４）のシャーシ接続部１７が接続された状態で所定の作業台などに設置される（モジュール接続段階）。
【００５１】
そして、無線端末測定装置１が備える各無線端末測定モジュール１０−１〜１０−４の制御部１５は、操作部１８から検査の対象とする通信規格（セルラ、ＷＬＡＮ、ＧＮＳＳ、及びＦＭラジオ放送）を指示する指示信号が送信されたことを確認し、各無線端末測定モジュール１０−１〜１０−４の測定機能をそれぞれセルラ、ＷＬＡＮ、ＧＮＳＳ、及びＦＭラジオ放送に対応したものに設定する（測定機能制御段階）。即ち、無線端末測定装置１のシャーシ１６に収容された複数の無線端末測定モジュールのうちの少なくとも１つの測定機能が、他の無線端末測定モジュールと異なる通信規格に対応したものとなる。
【００５２】
そして、操作者により、複数の端末機器３０が、無線端末測定装置１の各無線端末測定モジュール１０−１〜１０−４の各端子に接続される。
【００５３】
無線端末測定モジュール１０−１〜１０−４の制御部１５は、信号生成部１２及び切替部１４に指示信号を送出して、無線端末測定モジュール１０−１〜１０−４の各端子に接続された端末機器３０のアンテナ部に向けて、それぞれセルラ、ＷＬＡＮ、ＧＮＳＳ、及びＦＭラジオ放送に対応した試験信号を出力する。
【００５４】
次に、制御部１５は、信号解析部１３及び切替部１４に指示信号を送出して、上記試験信号に対する各端末機器３０のアンテナ部からの応答信号または端末送信信号を解析し、その解析結果をメモリ１５ａに記憶する。このとき制御部１５は、予めメモリ１５ａに記憶されている内部配線の損失の補正値を信号解析部１３に通知しているものとする。
【００５５】
測定が終了した端末機器３０は、操作者により、無線端末測定モジュール１０−１〜１０−４の各端子から順次取り外される。端末機器３０が取り外された端子には、操作者により新たな端末機器が順次取り付けられるとよい。
【００５６】
以上説明したように、本発明に係る無線端末測定装置、無線端末測定システム、及び無線端末測定方法は、ソフトウエア的に測定機能を変更することが可能な無線端末測定モジュールを、測定内容に応じて任意の数だけシャーシ内に配置することができるため、ライン方式とセル方式の両方に柔軟に対応することができる。
【００５７】
また、本発明に係る無線端末測定装置は、インタフェース部を介して表示部を接続可能な構成となっているため、複数の無線端末測定モジュールから出力される解析結果を１つのモニタにまとめて表示することができ、装置の配置エリアの省スペース化や装置の低コスト化を実現できる。
【産業上の利用可能性】
【００５８】
本発明に係る無線端末測定装置、無線端末測定システム、及び無線端末測定方法は、複数の通信規格に対応した複数のアンテナを有する携帯電話やスマートフォン等の試験装置として有用である。
【符号の説明】
【００５９】
１  無線端末測定装置
１０−１〜１０−Ｎ  無線端末測定モジュール
１１−１ａ〜１１−Ｍａ、１１−１ｂ〜１１−Ｍｂ  端子
１１  端末機器接続部
１２  信号生成部
１２ａ  ベースバンド信号生成部
１２ｂ  ＲＦ変調部
１３  信号解析部
１４  切替部
１５  制御部
１５ａ  メモリ
１６  シャーシ（筺体）
１６ａ  インタフェース部
１７  シャーシ接続部（筺体接続部）
１８  操作部
１９  表示部
３０−１ａ〜３０−Ｍａ、３０−１ｂ〜３０−Ｍｂ  アンテナ部
３０、３０−１〜３０−Ｍ  端末機器
４０  ベルトコンベア
１００  無線端末測定システム
【図１】
0005643780.tif 000002
【図２】
0005643780.tif 000003
【図３】
0005643780.tif 000004
【図４】
0005643780.tif 000005
【図５】
0005643780.tif 000006